(57)【要約】【課題】ユーザの利便性に優れた投写型の映像表示技術を提供する。【解決手段】投写型映像表示システム４００は、映像光を出射する投写型映像表示装置１００と、投写型映像表示装置１００からの映像光が投写されるスクリーン３００とを備える。ここでスクリーン３００は、スクリーン３００の温度に応じて可逆的に光の透過率が変化する部材であって、前記部材の温度が高いときは温度が低いときよりも光の透過率が小さくなる部材で構成されており、投写型映像表示装置１００は、投写型映像表示装置１００内の熱を前記スクリーンに伝導させる排熱部を備える。【選択図】図４
2013122490.tif 000002
【特許請求の範囲】
【請求項１】
映像光を出射する投写型映像表示装置と、
前記投写型映像表示装置からの映像光が投写されるスクリーンとを備え、
前記スクリーンは、前記スクリーンの温度に応じて可逆的に光の透過率が変化する部材であって、前記部材の温度が高いときは温度が低いときよりも光の透過率が小さくなる部材で構成されており、
前記投写型映像表示装置は、前記投写型映像表示装置内の熱を前記スクリーンに伝導させる排熱部を備えることを特徴とする投写型映像表示システム。
【請求項２】
前記排熱部は、前記投写型映像表示装置の内部の気体を排気するための排気口を含み、
前記排気口は、排気する気体が前記スクリーンに向かうように形成されていることを特徴とする請求項１に記載の投写型映像表示システム。
【請求項３】
映像光を出射する投写型映像表示装置と、
前記投写型映像表示装置からの映像光が投写されるスクリーンを含む板状部材と、
前記板状部材に第１面側が軸着されるとともに、第１面と直交する第２面に前記投写型映像表示装置の底面を接続する支持部材とを備え、
前記支持部材は、前記板状部材のスクリーン側に前記投写型映像表示装置を配置させる第１の位置と、前記板状部材のスクリーンと反対側に前記投写型映像表示装置を配置させる第２の位置との間で回動可能であることを特徴とする投写型映像表示システム。
【請求項４】
前記支持部材は、第１の位置と第２の位置との間で前記投写型映像表示装置を回動させるための軸を備え、
前記軸は、前記投写型映像表示装置によってスクリーンに投写された映像光がスクリーン上で形成する映像の高さ方向と平行であることを特徴とする請求項３に記載の投写型映像表示システム。
【請求項５】
前記支持部材は、第１の位置と第２の位置との間で前記投写型映像表示装置を回動させるための軸を備え、
前記軸は、前記投写型映像表示装置によってスクリーンに投写された映像光がスクリーン上で形成する映像の幅方向と平行であることを特徴とする請求項３に記載の投写型映像表示システム。
【請求項６】
前記支持部材は、前記支持部材の第２面に垂直な軸を中心に前記投写型映像表示装置を回動させるための軸をさらに備えることを特徴とする請求項３から５のいずれかに記載の投写型映像表示システム。
【発明の詳細な説明】
【技術分野】
【０００１】
本発明は、投写型映像表示システムに関し、特に超短焦点投写系を有することで投写距離の短い机上投写を可能とする投写型映像表示装置を含むシステムに関する。
【背景技術】
【０００２】
各種会議やプレゼンテーション、広告等の用途にプロジェクタが多く利用されている。これらのプロジェクタの投写画像は、プロジェクタから距離の離れた壁面に映像光を投写することが一般的である。プロジェクタとその映像光を投射するための部材との距離が離れていることから、映像の調整等を鑑みると必ずしもユーザの利便性に優れるとは言えない。また、映像を投写するために適した距離に壁面の無い場合や、そもそも壁面の無い場所でプロジェクタを使用する場合、プロジェクタとスクリーンとを個別に準備する必要がある。
【０００３】
通常、プロジェクタからスクリーンに投写された映像は、プロジェクタに付属する光学系を操作することで、画角やフォーカスを変更することができる。また、アオリ機構を備えるプロジェクタも提案されている（特許文献１参照）。
【先行技術文献】
【特許文献】
【０００４】
【特許文献１】特開平２−１９５３８６号公報
【発明の概要】
【発明が解決しようとする課題】
【０００５】
本願の発明者は、非球面ミラーを備える超短焦点投写系を有することで投写距離の短い机上投写を可能としたプロジェクタを、被投写面である机と一体化することでプロジェクタとスクリーンとを含む投写型映像表示システムを構築することにより、ユーザの利便性に優れた投写型の映像表示技術を実現することについて認識するに至った。
【０００６】
本発明はこうした状況に鑑みなされたものであり、その目的は、ユーザの利便性に優れた投写型の映像表示技術を提供することにある。
【課題を解決するための手段】
【０００７】
上記目的を達成するため、本発明のある態様は投写型映像表示システムである。このシステムは、映像光を出射する投写型映像表示装置と、前記投写型映像表示装置からの映像光が投写されるスクリーンとを備える。ここで前記スクリーンは、前記スクリーンの温度に応じて可逆的に光の透過率が変化する部材であって、前記部材の温度が高いときは温度が低いときよりも光の透過率が小さくなる部材で構成されており、前記投写型映像表示装置は、前記投写型映像表示装置内の熱を前記スクリーンに伝導させる排熱部を備える。
【０００８】
本発明の別の態様も、投写型映像表示システムである。このシステムは、映像光を出射する投写型映像表示装置と、前記投写型映像表示装置からの映像光が投写されるスクリーンを含む板状部材と、前記板状部材に第１面側が軸着されるとともに、第１面と直交する第２面に前記投写型映像表示装置の底面を接続する支持部材とを備える。ここで前記支持部材は、前記板状部材のスクリーン側に前記投写型映像表示装置を配置させる第１の位置と、前記板状部材のスクリーンと反対側に前記投写型映像表示装置を配置させる第２の位置との間で回動可能である。
【発明の効果】
【０００９】
本発明によれば、ユーザの利便性に優れた投写型の映像表示技術を提供することができる。
【図面の簡単な説明】
【００１０】
【図１】本発明の実施の形態に係る投写型映像表示装置（床面投写）を示す図である。
【図２】本発明の実施の形態に係る投写型映像表示装置（壁面投写）を示す図である。
【図３】本発明の実施の形態に係る投写型映像表示装置の光学構成を示す図である。
【図４】本発明の実施の形態１に係る投写型映像表示システムを示す斜視図である。
【図５】図５（ａ）−（ｂ）は、本発明の実施の形態１に係る投写型映像表示装置の内部構成の配置の一例を示す概略図である。
【図６】本発明の実施の形態２に係る投写型映像表示システムを示す斜視図である。
【図７】図７（ａ）−（ｂ）は、本発明の実施の形態２に係る投写型映像表示システムにおける、支持部材の回動方向の一例を示す斜視図である。
【図８】本発明の実施の形態２に係る投写型映像表示システムにおける、支持部材の別の例を示す斜視図である。
【図９】回転軸を中心とする回動によって、支持部材が第１の位置と第２の位置との中間に位置する様子を示す斜視図である。
【図１０】本発明の実施の形態２に係る投写型映像表示装置の回動方向を示す斜視図である。
【発明を実施するための形態】
【００１１】
以下、本発明の実施の形態に係る投写型映像表示装置について図面を参照しながら説明する。なお、図面の記載において同一又は類似の部分には、同一又は類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることにも留意すべきである。
【００１２】
（投写型映像表示装置の概略構成）
本発明の実施の形態に係る投写型映像表示装置は、非球面ミラーを備える超短焦点投写系を有することで投写距離の短い机上投写を可能としたプロジェクタであり、投写画像は本体設置底面と同一平面に投写される。
【００１３】
以下、投写型映像表示装置の概略構成について図面を参照しながら説明する。この概略構成は、以下に説明するいくつかの実施の形態でほぼ共通であるが、実施の形態によっては一部構成の異なる場合もありうる。図１は、投写型映像表示装置１００（床面投写）を示す図である。図２は、投写型映像表示装置１００（壁面投写）を示す図である。
【００１４】
図１及び図２に示すように投写型映像表示装置１００は筐体２００を有しており、投写面に映像を投写する。筐体２００には後述する投写光学系１１０から出射される光を通す投写口２１０が設けられる。投写口２１０は例えばガラス等の光を透過する部材を用いた窓としてもよい。
【００１５】
投写面は、図１に示すように水平面に形成されてもよいし、図２に示すように垂直面に形成されてもよい。水平面に形成される場合、床面、机上、スクリーン、ホワイトボードなどに形成される。垂直面に形成される場合、壁面、スクリーン、ホワイトボードなどに形成される。投写型映像表示装置１００は、映像光を水平面に投写するように配置されてもよいし、垂直面に投写するように配置されてもよい。
【００１６】
略直方体の筐体２００が有する面のうち、図１に示すケースでは第１面２２０が設置面（即ち、底面２２０）となり、図２に示すケースでは第２面２３０が設置面となる。
【００１７】
投写型映像表示装置１００は小型サイズで構成され、投写型映像表示装置１００は投写面に２０〜４０インチ程度の映像を表示する。例えば、Ａ３サイズの映像を表示する。投写型映像表示装置１００は投写面との距離が非常に近い、いわゆる超短焦点型である。
【００１８】
（投写型映像表示装置の光学構成）
以下、投写型映像表示装置１００の光学構成について図面を参照しながら説明する。図３は、投写型映像表示装置１００の光学構成を示す図である。
【００１９】
図３に示すように投写型映像表示装置１００は、投写光学系１１０、照明光学系１２０、ＤＭＤ(Digital Micromirror Device)７０、反射プリズム８０、冷却ファン１３０、バッテリ１４０、電源基板１５０、主制御基板１６０、および操作基板１７０を有する。
【００２０】
投写光学系１１０は、光変調素子であるＤＭＤ７０から出射された映像光を投写面に投写する。本実施の形態ではカラー映像を投写するため、その映像光は色成分を持つ。投写光学系１１０は、投写レンズ群１１１、および反射ミラー１１２を有する。投写レンズ群１１１は、ＤＭＤ７０から出射された色成分光を反射ミラー１１２側に出射する。投写光学系１１０は、映像光を出射する出射部として機能する。
【００２１】
投写レンズ群１１１は投写光学系１１０の光軸Ｌを中心とする略円形状および略半円形状のレンズを含む。なお、投写レンズ群１１１に含まれるレンズの径は、反射ミラー１１２に近いほど大きいことに留意すべきである。
【００２２】
反射ミラー１１２は投写レンズ群１１１から出射された映像光を反射する。反射ミラー１１２は映像光を集光した上で映像光を広角化する。例えば、反射ミラー１１２は投写レンズ群１１１側に凹面を有する非球面ミラーであり、投写光学系１１０の光軸Ｌを中心とする略半円形状を有する。反射ミラー１１２は、投写光学系１１０から出射された映像光を反射する反射部として機能する。
【００２３】
反射ミラー１１２で集光された映像光は、筐体２００に設けられた投写口２１０から外部に導かれる。筐体２００に設けられた投写口２１０は、反射ミラー１１２によって映像光が集光される位置近傍に設けられることが好ましい。
【００２４】
照明光学系１２０は、光源１０、ダイクロイックプリズム３０、ロッドインテグレータ４０、第１ミラー５１、第２ミラー５２、第１レンズ６１、第２レンズ６２、および第３レンズ６３を有する。
【００２５】
光源１０は複数色の色成分光を個別に出射するように構成される。光源１０には、光源１０で生じる熱を放熱するヒートシンクが併設されていてもよい。図３では光源１０は、赤色光源１０Ｒ、緑色光源１０Ｇ、および青色光源１０Ｂによって構成される。
【００２６】
赤色光源１０Ｒは赤成分光Ｒを出射する光源である。赤色光源１０Ｒには、例えば、赤色ＬＥＤ(Light Emitting Diode)または赤色ＬＤ(Laser Diode)を用いることができる。緑色光源１０Ｇは緑成分光Ｇを出射する光源である。緑色光源１０Ｇには、例えば、緑色ＬＥＤまたは緑色ＬＤを用いることができる。青色光源１０Ｂは青成分光Ｂを出射する光源である。青色光源１０Ｂには、例えば、青色ＬＥＤまたは青色ＬＤを用いることができる。赤色光源１０Ｒ、緑色光源１０Ｇ、青色光源１０Ｂのそれぞれには、金属などのように放熱性が良好な部材によって構成されるヒートシンクが併設されてもよい。
【００２７】
ダイクロイックプリズム３０は、赤色光源１０Ｒから出射される赤成分光Ｒ、緑色光源１０Ｇから出射される緑成分光Ｇ、青色光源１０Ｂから出射される青成分光Ｂを合成する。
【００２８】
ロッドインテグレータ４０は、光入射面と、光出射面と、光入射面の外周から光出射面の外周に亘って設けられる光反射側面とを有する。ロッドインテグレータ４０は、ダイクロイックプリズム３０から出射された色成分光を均一化する。より詳細には、ロッドインテグレータ４０は光反射側面で色成分光を反射することによって色成分光を均一化する。ロッドインテグレータ４０は、ガラスなどによって構成される中実ロッドであってもよいし、ミラー面によって内面が構成される中空ロッドであってもよい。
【００２９】
図３に示す例では、ロッドインテグレータ４０は光源１０から出射される光の進行方向に向けて、光の進行方向に垂直な断面が大きくなるテーパ形状を有する。なお、ロッドインテグレータ４０は光源１０から出射される光の進行方向に向けて、光の進行方向に垂直な断面が小さくなる逆テーパ形状を有してもよい。
【００３０】
第１ミラー５１、第２ミラー５２は、ロッドインテグレータ４０から出射された光をＤＭＤ７０に導くために、光路を折り曲げる反射ミラーである。第１レンズ６１、第２レンズ６２、および第３レンズ６３は、光源１０から出射された色成分光の拡大を抑制しながら、色成分光をＤＭＤ７０上に略結像するリレーレンズである。
【００３１】
冷却ファン１３０は筐体２００の外部に連通しており、筐体２００内の熱を放出する。または、筐体２００の外部の空気を筐体２００内に送り込む。または、その両方を行う。冷却ファン１３０は光源１０の近傍に設けられ、光源１０を冷却する。
【００３２】
バッテリ１４０は投写型映像表示装置１００内で使用される電力を蓄積する。電源基板１５０はＡＣ−ＤＣコンバータを備え、ＡＣ−ＤＣコンバータは商用電源から供給される交流電力を直流電力に変換する。ＡＣ−ＤＣコンバータは、変換した直流電力をバッテリ１４０に蓄積するか、投写型映像表示装置１００内の各種回路に供給する。電源基板１５０と商用電源が非接続のとき、バッテリ１４０に蓄積された電力が各種回路に供給される。なお、小型化、軽量化の観点からバッテリ１４０を搭載しない構成としてもよい。
【００３３】
主制御基板１６０は、投写型映像表示装置１００の動作を制御する制御回路を搭載する。操作基板１７０は、投写型映像表示装置１００に設置される操作部に接続されている。操作基板１７０に搭載される制御回路は、操作部から入力される操作信号を主制御基板１６０に搭載される制御回路に伝達する。
【００３４】
ＤＭＤ７０は複数の微小ミラーによって構成される。複数の微小ミラーはそれぞれ独立に可動する。原則として一つの微小ミラーが一画素に対応する。ＤＭＤ７０は、設定される映像信号に応じて各微小ミラーの角度を変更する。これにより、表示画素ごとに色成分光を投写光学系１１０側に反射するか否かを切り替えることができる。なお、投写光学系１１０側に反射する時間を制御することにより階調制御が可能である。
【００３５】
図３では光変調素子としてＤＭＤを用いる例を示したが、ＤＭＤの代わりに反射型または透過型の液晶パネルを用いてもよい。
【００３６】
反射プリズム８０は、照明光学系１２０から出射される光をＤＭＤ７０側に透過するとともに、ＤＭＤ７０から出射される光を投写光学系１１０側に反射する。
【００３７】
（実施の形態１）
以下、実施の形態１に係る投写型映像表示システムを説明する。
【００３８】
図４は、実施の形態１に係る投写型映像表示システム４００を示す斜視図である。実施の形態１に係る投写型映像表示システム４００は、映像光を出射する投写型映像表示装置１００と、投写型映像表示装置１００からの映像光が投写されるスクリーン３００とを備える。
【００３９】
実施の形態１に係るスクリーン３００は、スクリーン３００の温度変化に応じて、透明な状態と白濁または色が付いた状態との間で可逆的に変化可能な性質を有する。スクリーン３００は、例えば既知のサーモクロミック材料を含むことで実現でき、この場合常温では透明なガラス又はフィルムであるが、例えば３５度を越えると白濁して白いスクリーンとなる。実施の形態１に係る投写型映像表示システム４００においては、このガラス材料を天板とする机の上に投写型映像表示装置１００を設置し、映像光を投写する必要があるときに天板に熱を与えてスクリーン３００とし、映像光を投写しないときは通常のガラステーブルとなるように構成されている。
【００４０】
図４には図示しないが、投写型映像表示装置１００の筐体２００の内部には、映像光を出射する出射部として機能する投写光学系１１０と、投写光学系１１０から出射された映像光を反射する反射部として機能する反射ミラー１１２とが収納されている。
【００４１】
投写口２１０は、反射ミラー１１２から反射された映像光を通すために筐体２００のひとつの面に設けられた開口部である。実施の形態１に係る投写型映像表示装置１００においては、図３に示す例とは異なり、筐体２００の面のうち、投写口２１０が設けられた面に、投写型映像表示装置１００内の熱をスクリーン３００に伝導させる排熱部を備える。
【００４２】
具体的には、排熱部は、投写型映像表示装置１００内部の気体を排気するための排気口２４０を含み、排気口２４０は、排気する気体がスクリーン３００に向かうように、スクリーン３００と筐体２００とが接している筐体の底面２２０付近に形成されている。筐体２００の内部であって排気口２４０と接する位置に冷却ファン１３０が備えられており、冷却ファン１３０は、投写型映像表示装置１００の駆動時に生じる熱を、排気口２４０を通じてスクリーン３００に吹き付ける。排気口２４０から排出された空気は排気口２４０から遠ざかる方向、すなわち、投写型映像表示装置１００によってスクリーン３００に投写された映像の高さ方向に流れてスクリーン３００を暖める。スクリーン３００を暖め他熱は、拡散によってスクリーン３００に投影された映像の幅方向にも広がる。
【００４３】
上述したとおり、スクリーン３００は、温度に応じて可逆的に光の透過率が変化する部材あり、部材の温度が高いときは温度が低いときよりも光の透過率が小さくなるサーモクロミック材料を含んでいる。このため、排気口２４０を通じて投写型映像表示装置１００内の熱を帯びた空気が吹き付けられると、スクリーン３００が白濁して光の透過率が下がり、映像光の投写が可能な状態となる。図４においては、符号３２２で示す閉領域が投影可能領域３２２であり、表示部３２０は投影可能領域３２２の内部に収まる。
【００４４】
図５は、実施の形態１に係る投写型映像表示装置１００の内部構成の配置の一例を示す概略図である。図５（ａ）は、投写型映像表示装置１００を正面から見た場合の内部構成の配置例を示す図であり、図５（ｂ）は、投写型映像表示装置１００を側面から見た場合の内部構成の配置例を示す図である。
【００４５】
上述したとおり、投写型映像表示装置１００は略直方体の筐体２００を備え、その中心に投写光学系１１０を備える。投写光学系１１０を出射する映像光は、筐体２００の天面側にある非球面ミラーである反射ミラー１１２で反射したのち、投写口２１０を通ってスクリーン３００に投写される。投写型映像表示装置１００は、投写光学系１１０の底面側に照明光学系１２０を備える。図５（ａ）および図５（ｂ）には図示しないが、照明光学系１２０は赤色（Ｒ）光、緑色（Ｇ）光、および青色（Ｂ）光を出射する各色ＬＥＤ光源と、光源から出射される出射光を変調素子であるＤＭＤパネルに均一照明するインテグレータ光学系及びリレー光学系を有する。
【００４６】
投写型映像表示装置１００の構成部材の中で熱源となる部材は、主にＬＥＤ光源及びＤＭＤ、ＬＥＤドライバである。これらはそれぞれ空冷で冷却される。Ｒ光源、Ｂ光源、及び、ＤＭＤ、ＬＥＤドライバはヒートシンク（Heat Sink;HS）を備え、各デバイスで発生する熱を筐体内の空気中に放出する。Ｇ光源はヒートパイプ（Heat Pipe;HP）で熱を移動させた後、ヒートシンクで熱を空気中に放出する。ヒートシンクやヒートパイプ、冷却ファン１３０、排気口２４０等により、投写型映像表示装置１００の冷却系１９０が構成される。上記の熱源や冷却系１９０は照明光学系１２０の周囲及び筐体２００の底面付近に配置され、熱を含んだ気体は、筐体２００の底面付近の排気口２４０より筐体２００の外部に放出される。図５に示す例では、投写型映像表示装置１００を駆動する回路系１８０は、投写レンズの背面及び側面に配置されている。
【００４７】
なお、図５は熱源や冷却系１９０を筐体２００の底面付近に配置する場合の例を示す図であるが、熱源や冷却系１９０を筐体２００の底面付近に配置することは必須の構成ではない。熱源が筐体２００内のどの位置にあったとしても、ヒートパイプを用いて筐体２００の底面に熱を移動させることで、排気口２４０から放熱することが可能となる。
【００４８】
以上説明したように、本発明の実施の形態１に係る投写型映像表示システム４００によれば、映像を投写するプロジェクタと映像が投写されるスクリーンを天板に含む机とが一体となった机上型映像投写システムを提供することができる。この投写型映像表示システム４００を構成する机の天板は、映像を投写しないときには透明であって、プロジェクタを使用状態にすると、映像光を写すためのスクリーンとなる。これにより、通常はガラステーブルでありながら、映像光を投写するときに白濁させて、投写に必要な領域をスクリーン３００とすることができる。通常のスクリーンとプロジェクタとを一体化する場合と比較して、デザイン性に優れ、環境と調和する環境調和型のスクリーンを提供することができ、ひいてはユーザの利便性に優れた投写型の映像表示技術を提供することが可能となる。
【００４９】
（実施の形態２）
以下、実施の形態２に係る投写型映像表示システムを説明する。
【００５０】
図６は、実施の形態２に係る投写型映像表示システム４００を示す斜視図である。実施の形態２に係る投写型映像表示システム４００は、映像光を出射する投写型映像表示装置１００と、投写型映像表示装置１００からの映像光が投写されるスクリーン３００を含む板状部材３０２と、板状部材３０２に軸着される支持部材３３０とを備える。ここで支持部材３３０は、第１面３３２側が板状部材３０２と軸着されるとともに、第１面３３２と異なる面であって、第１面３３２と直交する第２面３３４に投写型映像表示装置１００の底面２２０を接続する。図６に示す投写型映像表示システム４００の例では、板状部材３０２に、板状部材３０２を支える足３４０が接続されており、板状部材３０２と足３４０とで机を構成する。
【００５１】
なお、「支持部材３３０と投写型映像表示装置１００とが接続する」とは、支持部材３３０と投写型映像表示装置１００とが一体となって移動できる状態となればよく、必ずしも支持部材３３０と投写型映像表示装置１００とが分離不可能な態様で固定されることを意味しない。支持部材３３０と投写型映像表示装置１００と既知のロック機構で肯定される構成とし、両者が着脱可能としてもよい。これにより、投写型映像表示装置１００を単独で利用することも可能となるからである。
【００５２】
図７は、実施の形態２に係る投写型映像表示システム４００における、支持部材３３０の回動方向の一例を示す斜視図である。実施の形態２に係る投写型映像表示システム４００においては、投写型映像表示装置１００の底面２２０と接続する支持部材３３０は、板状部材３０２のスクリーン３００側に投写型映像表示装置１００を配置させる第１の位置と、板状部材３０２のスクリーン３００と反対側に投写型映像表示装置１００を配置させる第２の位置との間で回動可能である。
【００５３】
図７（ａ）は、回動によって支持部材３３０が第１の位置と第２の位置との中間に位置する様子を示す斜視図である。図７（ａ）に示す例では、支持部材３３０は、投写型映像表示装置１００によってスクリーン３００に投写された映像光がスクリーン３００上で形成する映像の高さ方向と平行な回転軸５００を中心に回動する。図７（ａ）においては、「投写型映像表示装置１００によってスクリーンに投写された映像光がスクリーン上で形成する映像の高さ方向」は、板状部材３０２上に張られた直交座標系の「ｙ軸」と平行な方向である。図７（ａ）に示す例では、回転軸５００は、支持部材３３０の第１面３３２と直交する。
【００５４】
図７（ｂ）は、回転軸５００を中心とする回動によって、支持部材３３０が第２の位置に位置する様子を示す斜視図である。図７（ｂ）に示すように、支持部材３３０が第２の位置に位置する場合、投写型映像表示装置１００の投写口２１０は、支持部材３３０が第１の位置に位置する場合に対して、板状部材３０２の反対側に位置することになる。
【００５５】
このように、支持部材３３０を回転軸５００を中心に回動自在に構成することにより、投写型映像表示装置１００をスクリーン３００の裏側から投写させるリア投写（机背面投射）型のシステムを提供することも可能となる。この場合、スクリーン３００はリア投写の可能な半透明部材（リアスクリーン）を用いて構成する。支持部材３３０を第１の位置に配置して投写型映像表示装置１００にフロント投写させるときは、スクリーン３００を例えば紙等で蓋をすることによって視認性を担保する。
【００５６】
これにより、投写型映像表示システム４００に含まれるひとつの机で、フロント投写とリア投写とを両立させることができる。例えば投写画像中に書き込みをするような用途の場合にはフロント投写を行い、机を広く使用して複数人で表示される情報を共有するような場合にはリア投写を行う等、用途に応じた投写方法の選択が可能となり、ユーザにとって利便性の高い投写型映像表示システム４００を提供することができる。
【００５７】
図８は、実施の形態２に係る投写型映像表示システム４００における、支持部材３３０の別の例を示す斜視図である。図８においては、煩雑さを避けるため板状部材３０２の一部のみが図示されている。また、支持部材３３０に接続される投写型映像表示装置１００の底面２２０のみが図示され、投写型映像表示装置１００の本体の図示は省略されている。
【００５８】
図８に示す例では、支持部材３３０は、投写型映像表示装置１００によってスクリーン３００に投写された映像光がスクリーン３００上で形成する映像の幅方向と平行な回転軸５０２を中心に回動する。図８においては、「投写型映像表示装置１００によってスクリーンに投写された映像光がスクリーン上で形成する映像の幅方向」は、板状部材３０２上に張られた直交座標系の「ｘ軸」と平行な方向である。図７（ａ）に示す例では、回転軸５０２は、支持部材３３０の第１面３３２および第２面３３４と平行である。
【００５９】
支持部材３３０が回転軸５０２を中心に第１の位置から第２の位置まで移動するとき、それに伴って支持部材３３０に接続された投写型映像表示装置１００が走査する空間には、板状部材３０２の一部が存在する。そこで、板状部材３０２の一部である部分部材３５０であって、支持部材３３０の回動に伴って投写型映像表示装置１００が走査する空間を含む部分部材３５０は、投写型映像表示装置１００が走査する空間から退避可能に構成されている。具体的には、図８に示すように、部分部材３５０はｙ軸と平行な方向に摺動自在に構成されており、支持部材３３０の回動に伴って投写型映像表示装置１００が走査する空間から退避することができる。
【００６０】
図９は、回転軸５０２を中心とする回動によって、支持部材３３０が第１の位置と第２の位置との中間に位置する様子を示す斜視図である。図９に示すように、部分部材３５０は投写型映像表示装置１００が走査する空間から退避しており、投写型映像表示装置１００は板状部材３０２に遮られることなく回動することができる。
【００６１】
図１０は、実施の形態２に係る投写型映像表示装置１００の回動方向を示す斜視図である。投写型映像表示装置１００を接続する支持部材３３０（図１０には図示しない）は、投写型映像表示装置１００の底面２２０と接する面、すなわち支持部材３３０の第２面に垂直な回転軸５０４をさらに備えている。投写型映像表示装置１００は、回転軸５０４によって支持部材３３０と軸着されており、回転軸５０４を中心に投写型映像表示装置１００は回動自在に構成されている。
【００６２】
この構成により、実施の形態２に係る投写型映像表示システム４００によれば、例えば投写型映像表示装置１００の周囲をユーザが囲む状況など、ユーザと投写画面との方向が変わったときにも、回転軸５０４を中心に投写型映像表示装置１００を回動することによって簡易に最適な状態にすることができる。
【００６３】
また、図８および図９に示すように、支持部材３３０が回転軸５０２を中心として回動する場合において、支持部材３３０を第２の位置に配置させたとする。このとき、投写型映像表示装置１００に映像光をフロント投写させる場合と同じ方向にリア投写させるためには、投写型映像表示装置１００を板状部材３０２の背面でさらに回動する必要がある。これは、投写型映像表示装置１００を回転軸５０４を中心に回動させることによって実現できる。
【００６４】
以上説明したように、実施の形態２に係る投写型映像表示システム４００によれば、投写型映像表示システム４００に含まれるひとつの机で、フロント投写とリア投写とを両立する構成とすることができる。ユーザの用途に応じて投写方法を選択することが可能となり、ユーザにとって利便性の高い投写型映像表示システム４００を提供することができる。
【００６５】
以上、実施の形態１および２を説明した。これらの実施の形態の組み合わせもまた本発明の実施の形態として有用である。組み合わせによって生じる新たな実施の形態は、組み合わされる実施の形態それぞれの効果を合わせ持つ。
【００６６】
以上、本発明をいくつかの実施の形態をもとに説明した。これらの実施の形態は例示であり、それらの各構成要素や各処理プロセスの組み合わせにいろいろな変形例が可能なこと、またそうした変形例も本発明の範囲にあることは当業者に理解されるところである。
【００６７】
上記の実施の形態１においては、排気口２４０から熱気を帯びた気体をスクリーン３００に吹き付けることによってスクリーン３００の温度を変化させる場合について説明したが、スクリーン３００の温度を変化させる機構はこれに限られない。例えば、投写型映像表示装置１００の底面２２０にヒートシンクやヒートスプレッダ（Heat Spreader）を配置するとともに、それらの一部を投写型映像表示装置１００の筐体２００からスクリーン３００側に突出させる構成としてもよい。
【００６８】
これにより、投写型映像表示装置１００が駆動することによって生じた熱は、スクリーン３００側に突出させたヒートシンクやヒートスプレッダの一部を通じてスクリーン３００に伝導し、スクリーン３００を暖める。実施の形態１に係る投写型映像表示システム４００は、投写距離の短い机上投写型の映像表示システムであるため、投写型映像表示装置１００とユーザとの距離が近い場合も多いと考えられる。排気口２４０から熱気を帯びた気体をスクリーン３００に吹き付ける構成の場合、熱気を帯びた気体がユーザに当たることも想定され、ユーザに煩わしさを感じさせる場合もないとはいえない。上記の構成とすれば投写型映像表示装置１００から熱を帯びた気体の排出を低減することができる。
【００６９】
上記の実施の形態１において、スクリーン３００は温度に応じて光の透過率が可逆的に変化する場合について説明したが、スクリーン３００の光の透過率を変化させるための物理量は温度に限られず、例えば電流を用いてもよい。すなわち、スクリーン３００に流れる電流の大小によって光の透過率が可逆的に変化する既知のエレクトロクロミック材料を用いてスクリーン３００を構成してもよい。この場合、スクリーン３００における表示部３２０の周囲に導電材料を張り、投写型映像表示装置１００の電源から給電することで実現できる。一般に電流の速度は熱の拡散速度よりも早いため、スクリーン３００の温度を制御する場合と比較して、光の透過率が変化するまでの応答時間を短くしうる点で有利である。
【符号の説明】
【００７０】
１０  光源、  ３０  ダイクロイックプリズム、  ４０  ロッドインテグレータ、  ５１  第１ミラー、  ５２  第２ミラー、  ６１  第１レンズ、  ６２  第２レンズ、  ６３  第３レンズ、  ７０  ＤＭＤ、  ８０  反射プリズム、  １００  投写型映像表示装置、  １１０  投写光学系、  １１１  投写レンズ群、  １１２  反射ミラー、  １２０  照明光学系、  １３０  冷却ファン、  １４０  バッテリ、  １５０  電源基板、  １６０  主制御基板、  １７０  操作基板、  １８０  回路系、  １９０  冷却系、  ２００  筐体、  ２１０  投写口、  ２２０  底面、  ２３０  第２面、  ２４０  排気口、  ３００  スクリーン、  ３０２  板状部材、  ３２０  表示部、  ３２２  投影可能領域、  ３３０  支持部材、  ３３２  第１面、  ３３４  第２面、  ３５０  部分部材、  ４００  投写型映像表示システム、  ５００，５０２，５０４  回転軸。
【図１】
2013122490.tif 000003
【図２】
2013122490.tif 000004
【図３】
2013122490.tif 000005
【図４】
2013122490.tif 000006
【図５】
2013122490.tif 000007
【図６】
2013122490.tif 000008
【図７】
2013122490.tif 000009
【図８】
2013122490.tif 000010
【図９】
2013122490.tif 000011
【図１０】
2013122490.tif 000012